(57)【要約】      （修正有）【課題】洗濯用ハンガーには多数のピンチや吊り下げ用のチェーンが数本取付けられているので、ピンチが吊り下げられている金具やピンチ本体同士が絡み合い、スムーズに開くことが出来ない状態が生じることが非常に多かった。【解決手段】仕切りネット１の上端に吊り下げ用係止具を設け、仕切りネット１を折りたたみ式洗濯用ハンガーの中央部に係止具にて着脱自在に取付け、折りたたみ式洗濯用ハンガーに仕切りネット１を取付けることによって折りたたみ式洗濯用ハンガーの収納・開閉時にピンチ等が絡むことを防止し、仕切りネット１が取付け自在のため洗濯物のブラインドカバーとしての役割も果たす、洗濯用ハンガーの開閉時絡み防止ネットとブラインドを兼ねたネット。【選択図】図１
2011161045.tif 000002
【特許請求の範囲】
【請求項１】
仕切りネットの上端に吊り下げ用係止具を設け、仕切りネットを折りたたみ式洗濯用ハンガーの中央部に係止具にて着脱自在に取付け、折りたたみ式洗濯用ハンガーに仕切りネットを取付けることによって折りたたみ式洗濯用ハンガーの収納・開閉時にピンチ等が絡むことを防止した洗濯用ハンガーの開閉時絡み防止とブラインドを兼ねたネット。
【請求項２】
仕切りネットの上端に取付けた吊り下げ用係止具に帯状の係止バンドを用い、係止バンドの根元と先端に面テープを取付けた請求項１の洗濯用ハンガーの開閉時絡み防止ネットとブラインドを兼ねたネット。
【請求項３】
仕切りネットの上端に取付けた吊り下げ用係止具に仕切りネットの上端に小環を設け、該小環の左右に短い帯状の係止バンドと長い帯状の係止バンドを取付け、夫々の帯状の係止バンド先端に面ファスナーを取付け、根元部にも面ファスナーを設けた請求項１の洗濯用ハンガーの開閉時絡み防止ネットとブラインドを兼ねたネット。
【請求項４】
仕切りネットの上端に取付けた吊り下げ用係止具に鉤状のフックで挟み具を備え、支持軸に着脱自在にした請求項１の洗濯用ハンガーの開閉時絡み防止ネットとブラインドを兼ねたネット。        
【請求項５】
仕切りネットには複数の袋を取付け下着や小物の洗濯物を収容できるようにした請求項１及び２・３の洗濯用ハンガーの開閉時絡み防止ネットとブラインドを兼ねたネット。
【請求項６】
仕切りネットは長さが折りたたみ式洗濯用ハンガーを開いた横方向程度の略長さとし下方に長く垂れ下がるようにした請求項１・２・３・４の洗濯用ハンガーの開閉時絡み防止ネットとブラインドを兼ねたネット。
【請求項７】
仕切りネットは洗濯用ハンガー中央部に係止具にて着脱自在に設け、仕切りネットを洗濯物を覆う位置に取付けるように成すことによってブラインドカバーとして用いる事を特徴とした請求項１・２・３・４・５の洗濯用ハンガーの開閉時絡み防止ネットとブラインドを兼ねたネット。
【発明の詳細な説明】
【技術分野】
【０００１】
折りたたみ式洗濯ハンガーの開閉をスムーズに行う仕切りネットと洗濯物を干す時に目隠しをするためのブラインドネットに関するものである。          
【背景技術】
【０００２】
従来から使われて居る折りたたみ式洗濯ハンガーを収納する時に絡む吊り下げ用のチェーンやピンチの取付け方法等を改良した、たたみ式洗濯ハンガーの出現もあるが、新たに購入しなくてはならなかった。本発明は現在使用している折りたたみ式洗濯ハンガーをより便利に活用できるように提案されたものである。
又、下着等ハンガーに干した洗濯物全体を覆う目隠しカバー(特許文献１参照)や花粉よけ目隠しネット(特許文献２参照)と目隠しカバーで下部も隠せるネット(特許文献３)がある。
【先行技術文献】
【特許文献】
【０００３】
【特許文献１】実開昭５２−１６９５３２号公報（第１図）
【特許文献２】実用新案登録第３１３４１５５号公報(第２図)
【特許文献３】特開平１１−２３５４９８号公報(第２図)
【発明の概要】
【発明が解決しようとする課題】
【０００４】
折りたたみ式洗濯ハンガーは使用済み後には通常二つ折りにして収納している。使用
時に再び閉じていた状態から二つ折りを開き、広げて使用する。この時、洗濯用ハンガーには多数のピンチや吊り下げ用のチェーンが数本取付けられているので、ピンチが吊り下げられている金具やピンチ本体同士が絡み合い、スムーズに開くことが出来ない状態が生じることが非常に多かった。まして、朝の忙しい時間帯で洗濯物を干すに当たり、ピンチが絡み合い中々開くことが出来なくイライラすることが度々あり困っていた。
又、折りたたみ式洗濯ハンガーを複数個並べて立て掛けたり、上下に重ねて収納すると、他のハンガーのピンチやチェーン等に絡み合いスムーズにハンガーを容易に取り出すことが出来ないことが度々ある為に非常に苦労していた。
洗濯物の下着等を干す時に目隠しネットカバーを用いてハンガー全体を覆う物があるがネットカバーが大きく取扱いに苦労し、収納の際もかさばり不便であった。
【課題を解決するための手段】
【０００５】
仕切りネットの上端に吊り下げ用係止具を設け、仕切りネットを折りたたみ式洗濯用ハンガーの中央部の近傍の支持軸に係止具にて着脱自在に取付けるようにし、折りたたみ式洗濯用ハンガーに仕切りネットを取付けることによって折りたたみ式洗濯用ハンガーの収納・開閉時にピンチやチェーン等が絡むことを防止するように設けた。
請求項２では 仕切りネットの上端に取付けた吊り下げ用係止具に帯状の係止バンドを用い、係止バンドの根元と先端に面テープを取付けて着脱自在に設けた。
請求項３では仕切りネットの上端に取付けた吊り下げ用係止具に仕切りネットの上端に小環を設け、該小環の左右に短い帯状の係止バンドと長い帯状の係止バンドを取付け、夫々の帯状の係止バンド先端に面ファスナーを取付け、根元部にも面ファスナーを着脱自在に設けた。帯状の短い係止バンドの先端の面ファスナーと根元部の面ファスナーを係止すると中央部の支持軸が一本の時にも取付けられるようにした。支持軸が二本のハンガーにも取付けられ、支持軸が一本でも二本でも対応出来るように成した。  
請求項４では仕切りネットの上端に取付けた吊り下げ用係止具に鉤状の挟持具を用いることで簡単に支持軸に着脱自在に取付けられる様にした。この鉤状の挟持具はバネ力を用いた挟み具の機能を備えた構造にすることによってワンタッチで支持軸に挟み込み動かない構造に設ける。普及している洗濯バサミの先端の構造であれば支持軸を挟み込み仕切りネットを保持固定することが出来る。     
請求項５では仕切りネットには複数の袋を取付け小物等の洗濯物を収容できるように設け、袋は仕切りネットの裏表の両面に設けても、片側だけに取付けても良い。
請求項６では仕切りネットの長さを折りたたみ式洗濯用ハンガーが開いた横方向程度の略長さとし下方に長く垂れ下がるように設けた。
請求項７では仕切りネットが洗濯用ハンガー中央部に係止具にて着脱自在に設けられているので、仕切りネットは洗濯物を覆う位置に取付けるように設けることによってブラインドカバーとしてのネットに用いる事が出来るように成した。
【発明の効果】
【０００６】
折りたたみ式洗濯用ハンガーは下向きに折りたたんで収納する構造のタイプと上向きに折りたたむタイプがあり、ピンチ等が絡まないようなタイプの洗濯用ハンガーも出現している。しかし、現在既に購入して使用している折りたたみ式ハンガーではどうしても開閉時にピンチが絡んでスムーズに開閉することが出来なかった。しかし、ハンガー中央部に本発明の仕切りネットを取付けていることによってハンガーを折り畳んだ時に遮断壁の役割を仕切りネットが果たすので、ピンチ等が絡むことが無い。更に、特別なブラインドネットを別に用意せずに仕切りネットをハンガー内の移動取付けによって洗濯物を簡単に遮蔽することが可能としたので、女性にとってはとても便利なものである。
【０００７】
又、単に仕切りネットとしての役割だけでなく、洗濯用ハンガーの中央部から着脱自在に設けられているので、洗濯物を干す時に人に見られたくない場合には、この仕切りネットを取り外して洗濯物を隠すための位置に移動して取付け、遮蔽ネットカバーとしての役割を果たすことが出来る。つまり、折りたたみ式洗濯ハンガーを開いた状態の時は中央部に取付けた仕切りネットを取外し、洗濯物のブラインドネットとして変身出来る。勿論、中央部に取付けた状態でも複数の洗濯物を収納する袋を設けることによつて、より多くの洗濯物を干すこともできるので、人目に直接触れることも無く干せる効果がある。
【０００８】
折りたたみ式洗濯用ハンガーの構造は各メーカーによって色々なタイプのものが提供されているため、仕切りネットを吊り下げるための係止具にも工夫を施し、どのような構造の枠体や支持軸であっても対応する必要がある。そこで、本発明では係止具の実施例を三タイプ示してある。第一は支持軸が中央に一本の場合は帯状の係止バンド(３)と面ファスナー(４)（５)で取付けるようにしたので、簡単に着脱が出来る。
第二には小環（１２）を仕切りネット(１)の上端に二箇所取付け、左右に長短の帯状の係止バンド（１５）（１６）を設けることによって、枠体又は支持軸が中央部に二つある場合では、第一の係止バンド(３)では仕切りネットが中心の位置に取付けるのが難しいので、前記第二の実施例によって可能とした。又、支持軸が一本の場合でも短い帯状の係止バンド(１４)の面ファスナー（１５）と根元部の面ファスナー(１７)を用いて取付ければ簡単に着脱自在に対応できる。
第三は鉤状の挟持具を用いることによって支持軸にワンタッチで素早く着脱自在に取付けられるメリットが生じる。
【図面の簡単な説明】
【０００９】
【図１】本発明の仕切りネットの斜視図
【図２】本発明の仕切りネットの部分背面図
【図３】本発明を洗濯ハンガーに取付け状態図
【図４】本発明係止具の一実施例の取付け状態側面図
【図５】本発明係止具の一実施例の取付け状態図
【図６】本発明係止具の一実施例の展開図
【図７】本発明をブラインドネットとして使用している状態図
【図８】本発明の仕切りネットを長くした一実施例図
【図９】本発明の係止具の一実施例図
【図１０】本発明を取付けて収納した状態図
【図１１】本発明の仕切りネットを長くして取付けて収納した状態図
【図１２】本発明係止具の一実施例の取付け状態側面図
【発明を実施するための形態】
【００１０】
本発明は図１に示されたように、全体を細かい網目にして風の通りを良くした。仕切りネット(１)の上端には折りたたみ式洗濯ハンガー(２)に取付けるための係止具を二  箇所設ける。一実施例としては洗濯ハンガー(２)に着脱自在とするため、帯状の係止バンド(３)を取付け、その先端と根元部分に面ファスナー (４) (５)を取付ける。
網目状にした仕切りネット(１)の表側又は裏側の面には袋部(６)を上下に二段設け、下着や小物の洗濯物が納まるように設け、収納口の上部には例えばアクセントとしてリボン状の留め部(７)を仕切りネット(１)に縫付け、収納口（８）が長く使用しているとネットが垂れて開口してしまうのを防止している。袋部(６)のポケットは一段でも二段でも適宜自由に選択出来る。網状のネットであるため空気の流通も良いので表裏面に取付け可能である。
又、仕切りネット(１)の上端には風等の影響であおられないのと水に濡れた洗濯物の重みで弛みを防ぐために心棒(９)を取付けてある。一実施例では針金を挿入してあるが、それに変わるものであれば問題ない。図２は仕切りネット(１)に係止具の帯状の係止バンド(３)を裏側から見た取付けられた状態の背面図で、先端と根元部分に面ファスナー (４) (５)が取付けられているのが示されている。
【００１１】
図３に示されているように、折りたたみ式洗濯ハンガー(２)の枠体(１０)中央部の支持軸(１１)に仕切りネット(１)に取付けられた帯状の係止バンド(３)の先端を上部より回して、根元部に設けた面ファスナー (５)に面ファスナー (４)を取付けることにより支持軸(１１)に固定され、他の帯状の係止バンド(３)も同様に取付けることによって仕切りネット(１)が固定される。
【００１２】
市販品の折りたたみ式洗濯ハンガーは色々なタイプのハンガーが提供されていて、図３のように、枠体(１０)の中央部の中心に設けられた支持軸(１１)が一本の構造や、例えば図４に示されているように、二本の支持軸が設けられている構造もあるため、仕切りネット(１)を洗濯ハンガーに取付け固定する場合は、係止具の幅広い対応が可能な構造とする必要がある。
【００１３】
他の係止具の実施例として図５・６に示した支持軸が二本のタイプの構造に関して説明する。仕切ネット(１)の上端に小環(１２)を二箇所取付ける。その小環(１２)基部の左右に長さが異なる帯状の長い係止バンド(１３)と短い係止バンド(１４)を縫着する。固定するために長い係止バンド(１３)と短い係止バンド(１４)の先端には面ファスナー(１５)(１６)を取付け、長い係止バンド(１３) の根元に面ファスナー(１７)を取付ける。
【００１４】
図５・６のハンガーは枠体(１０)の中央部に支持軸（１８)(１９)が二本あり、この支持軸（１８)(１９)を用いて、その中心部(２０)に仕切りネット(１)が取付けられるようにするためには、支持軸（１８)の下から短い係止バンド(１４)の上に回し、長い係止バンド(１３)を支持軸(１９)の下から上に回して、先端に設けた面ファスナー(１６)を小環(１２)に通して、短い係止バンド(１４)の面ファスナー(１５)に固定することによって、仕切りネット(１)が中心位置に取付けられるので、左右バランス良く洗濯物を吊るすことが出来る。
【００１５】
図３に示されているように、洗濯物が干し終わってハンガー本体(２)に 仕切りネット (１)は吊り下げられた状態に成っている。その後、折りたたみ式洗濯ハンガー(２)を収納する際は、図１０に示されているように仕切りネット(１)が吊り下げられた状態のまま、ハンガー本体(２)を折り畳むことで仕切りネット(１)が中央部に取付けられている状態である。仕切りネット(１)が取付けられた状態なので吊り下げ用のチェーン(２０)の金具や枠体(１０)に多数取付けられたピンチ(２１)等が仕切りネット(１)で左右のハンガーを中央で遮断されるため、絡み合うことが無くなる。図５に示されているように二本の支持軸(１８)(１９)を有している折りたたみ式洗濯ハンガー(２)を畳むと係止された帯状の係止バンドは１／２の長さのＶ字型になり、仕切りネット（１）又は(２１)が折りたたみ式洗濯ハンガー(２)の中央部に下垂し、折りたたんだハンガーの間に介在するので、ピンチ同士が絡まる事が無い。
【００１６】
又、図８に示されたように通常より長く、ハンガー本体(２)を開いた状態の長さ程度にした仕切りネット(２１)を用いることによって、ハンガー本体(２)を図１１にように仕切りネット(２１)を折り返して、ハンガー本体(２)の上部を被せることにより、更にチェーン(２０)やピンチ(２２)絡み合うことを防止している。又、干し終わった後に折りたたみ式洗濯ハンガー(２)を収納保管する時に複数のハンガーを重ねて保管しても、仕切りネット(２１)によって他のハンガー同士が絡み合うことも無くなる。
【００１７】
他の係止具の一実施例として図１２に示されているように仕切りネット（１）の上端に連結片部(２７)を介して挟持具(２４)を二箇所取付ける。挟持具(２４)のヒンジ部(２５)を中心に挟持具(２４)を摘む事によって、バネ(２６)にて左右に開かれ、離すことによって閉じられ、空間部(２８)にてハンガー本体(２)の支持軸(１１)をクリップのように挟みこんで挟持する。このように先端部が鉤状に成った挟持具(２４)にてワンタッチで着脱自在に取付けられる。又、図９に示されているように、鉤状の引っ掛け用フック(２３)を取付けても良い。
【００１８】
本発明の仕切りネット(１) 又は(２１)は洗濯用ハンガーの絡み防止用としての役割だけでなく、折りたたみ式洗濯用ハンガー(２)の中央部に係止具は着脱自在に設けられ、取付けられているので、洗濯物を干す時に人に見られたくない場合には、この仕切りネット(１) 又は(２１)を取り外して洗濯物を隠すための位置に移動して取付け、遮蔽ネットとしての役割を果たすことが出来る。つまり、折りたたみ式洗濯ハンガー(２)を開いた状態の時は中央部に取付けた仕切りネット(１) 又は(２１)を取外し、洗濯物のブラインドを兼ねたネットとして変身出来る。勿論、中央部に取付けた状態でも複数の洗濯物を収納する袋部(６)を設けることによって、洗濯物を干すこともできるので、人目に直接触れることも無く干せる効果もある。
【符号の説明】
【００１９】
（１）仕切りネット、（２）折りたたみ式洗濯ハンガー、（３）帯状の係止バンド、（４）面ファスナー、（５）面ファスナー、（６）袋部、（７）リボン状の留め部、（８）収納口、（９）心棒、（１０）枠体、（１１）支持軸、（１２）小環、（１３）帯状の長い係止バンド、（１４）帯状の短い係止バンド、（１５）面ファスナー、（１６）面ファスナー、（１７）面ファスナー、（１８）支持軸、（１９）支持軸、（２０）吊り下げ用のチェーン、（２１）長い仕切りネット、（２２）ピンチ、(２３)鉤状の引掛け用フック、(２４)挟持具、(２５)ヒンジ部、(２６)バネ、(２７)連結片部、(２８)空間部。
【図１】
2011161045.tif 000003
【図２】
2011161045.tif 000004
【図３】
2011161045.tif 000005
【図４】
2011161045.tif 000006
【図５】
2011161045.tif 000007
【図６】
2011161045.tif 000008
【図７】
2011161045.tif 000009
【図８】
2011161045.tif 000010
【図９】
2011161045.tif 000011
【図１０】
2011161045.tif 000012
【図１１】
2011161045.tif 000013
【図１２】
2011161045.tif 000014